(57)【要約】【課題】電動工具のバッテリ取り付け部にスライドさせて取り付け、取り外しするバッテリパックであって、近年提供され始めた定格電流３６Ｖ仕様の大型バッテリパックの取り扱いを容易にする。【解決手段】取り外し用のロックボタン１２に対して左右側面部に滑り止めとして機能する指引き掛け部１５を設ける。この指引き掛け部１５に指先を引き掛けることにより主として取り外し時にバッテリパック１０を工具本体のバッテリ取り付け部に対して楽にスライドさせることができ、これにより当該バッテリパック１０の取り扱い性をよくすることができる。【選択図】図５
2010129188.tif 000002
【特許請求の範囲】
【請求項１】
電動工具に取り付けて電源として用いるバッテリパックであって、前記電動工具に対する取り外し方向に対して指先を引き掛けるための指引き掛け部を備えたバッテリパック。
【請求項２】
請求項１記載のバッテリパックであって、前記電動工具に係合して該電動工具に対する取り付け状態を保持するための爪部と、該爪部を前記電動工具から離脱させるための取り外し操作部を備え、該取り外し操作部に対して左右側面部と底面部に前記指引き掛け部を備えたバッテリパック。
【請求項３】
請求項１又は２記載のバッテリパックであって、その取り外し方向に対して交差する方向に沿って延びる突条又は凹部を設けて前記指引き掛け部としたバッテリパック。
【請求項４】
請求項３記載のバッテリパックであって、左右の側面部の指引き掛け部を前面部との間の角部に沿って設けたバッテリパック。
【請求項５】
請求項３又は４記載のバッテリパックであって、前記底面部に設けた指引き掛け部に対応して、設置時の傾きを補正するための突起部を備えたバッテリパック。
【発明の詳細な説明】
【技術分野】
【０００１】
この発明は、例えば手持ち式電動工具の電源に用いられるバッテリパックに関する。
【背景技術】
【０００２】
通常、電動工具のバッテリパックは、充電して繰り返し使用するために、工具本体部から取り外し可能となっている。例えば、手持ち式のねじ締め機の場合、工具本体部から側方へ突き出す状態に設けられたハンドル部の先端に対してバッテリパックをスライドさせて取り付け、取り外し可能としたものが提供されている。
使用者は、バッテリパックを持ってハンドル先端のバッテリ取り付け部に対して取り付け方向にスライドさせればこのバッテリパックをバッテリ取り付け部に取り付けることができる。スライドさせてバッテリパックに取り付ければ、バッテリパックは工具本体部の電源回路に電気的に接続される。これに対して使用者はバッテリパックを持って取り外し方向にスライドさせれば、このバッテリパックをバッテリ取り付け部から取り外すことができる。
また、取り外したバッテリパックは、充電器のバッテリ取り付け部に対して同様にスライドさせて取り付けることにより充電することができる。
【特許文献１】欧州特許EP1128517A2号公報
【特許文献２】特開2001-238362号公報
【発明の開示】
【発明が解決しようとする課題】
【０００３】
しかしながら、バッテリパックが比較的小型で軽量のものである場合には、その取り扱いが容易となって取り付け、取り外しを楽に行うことができるが、例えば近年利用され始めた高出力（例えば３６Ｖ仕様）のバッテリパックは大型化してその重量が大きいため、取り扱いが困難になる。
本発明は、主として大型のバッテリパックについて工具本体部からの取り外し時の取り扱いを容易にすることを目的とする。
【課題を解決するための手段】
【０００４】
このため、本発明は、特許請求の範囲の各請求項に記載した構成のバッテリパックとした。
請求項１記載のバッテリパックによれば、主として電動工具から取り外す際に、指引き掛け部に指を引き掛けて滑り止めとして機能させることができるので、大型で重いバッテリパックであっても楽に取り外すことができ、この点で当該バッテリパックの取り扱いを容易にすることができる。指引き掛け部には、凹部、凸部あるいは突条を用いることができる。
請求項２記載のバッテリパックによれば、電動工具から取り外す際に、親指で取り外し操作部を操作する場合には、その他の指先を底面部の指引き掛け部に引き掛けてその滑り止めをすることができる。また、人差し指で取り外し操作部を操作する場合には、その他の指先を左右側部の指引き掛け部に引き掛けて滑り止めとして機能させることができる。このように左右側面部と底面部に指引き掛け部を設けておくことにより、取り外し操作部を親指又は人差し指のいずれで操作する場合であっても、大型で重いバッテリパックを楽に取り外すことができる。
請求項３記載のバッテリパックによれば、取り外し方向に対して交差する方向に長い突条であれば例えば円形の凹部若しくは円形の凸部を指引き掛け部とする場合よりも指を引き掛ける範囲が広がる点で滑り止めとして利用しやすくなり、従って当該バッテリパックの取り扱い性を一層高めることができる。
請求項４記載のバッテリパックによれば、例えば人差し指でロックボタンを押し下げ操作する場合であって、親指を左側面部に引き掛け、その他の指先を右側面部に引き掛けて、左右両側から挟んで保持する場合に、左右の指引き掛け部に最も楽に指先を引き掛けることができ、この点で、その取り扱い性を一層高めることができる。
請求項５記載のバッテリパックによれば、バッテリパックを例えば作業台上に設置した場合に、当該バッテリパックを傾かせることなく水平に設置しておくことができる。また、電動工具にバッテリパックを取り付けた状態において、このバッテリパックの底面部を作業台上に設置させて当該電動工具を設置する場合に、電動工具を安定した状態で作業台上に設置しておくことができる。
【発明を実施するための最良の形態】
【０００５】
次に、本発明の実施形態を図１〜図６に基づいて説明する。図１は、本実施形態に係るバッテリパック１０を装着した電動工具１を示している。この電動工具１はハンマドリルと称される手持ち式の工具で、主にコンクリートの穴明け、ハツリ、破砕作業に用いられる。この電動工具１は、工具本体部２とハンドル部３を備えている。工具本体部２のモータケース部２ａ内には、電動モータ（図示省略）が縦向き（その回転軸線を上下に沿わせた向き）に内装されている。電動モータの回転動力は、ギヤ列で減速されるとともに出力方向が直交方向に変換されてスピンドル４から出力される。工具本体部２の後部にループ形のハンドル部３が一体に設けられている。ハンドル部３の内周側に使用者が指先で引き操作するトリガ形式のスイッチレバー５が配置されている。このスイッチレバー５が引き操作されると電動モータが起動する。工具本体部２の前部には、サブハンドル６が下方へ延びる状態で設けられている。使用者は、例えば右手でハンドル部３を把持し、左手でサブハンドル６を把持して、当該電動工具１を強固に支えることができる。
ハンドル部３の下部にバッテリパック１０が取り付けられている。このバッテリパック１０は、定格電圧３６Ｖ仕様のリチウムイオンバッテリで、充電して繰り返し使用することができる。このバッテリパック１０を電源として電動モータが動作する。このバッテリパック１０は、前側へスライドさせることにより、ハンドル部３のバッテリ取り付け部３ａに対して取り付けることができる。逆に、このバッテリ取り付け部３ａに対して後側へスライドさせることにより取り外すことができる。図２以下には、バッテリ取り付け部３ａから取り外した状態のバッテリパック１０が単独で示されている。本実施形態はこのバッテリパック１０に特徴を有するもので、工具本体部２及びハンドル部３については従来構成と同様で足り、特に変更を要しない。
このバッテリパック１０は、６面体の概ねブロック体形状をなすもので、内部に複数のバッテリセルを内装している。このバッテリパック１０の上面部１０Ｕには、左右一対のガイドレール部１１Ｌ，１１Ｒが設けられている。このガイドレール部１１Ｌ，１１Ｒを、バッテリ取り付け部３ａの内面側に前後に沿って左右一対設けた案内溝部に進入させて当該バッテリパック１０をバッテリ取り付け部３ａに対して前後にスライドさせることができる。後側にスライドさせると、バッテリ取り付け部３ａに対してバッテリパック１０を取り付けることができる。バッテリパック１０の上面部１０Ｕであって両ガイドレール部１１Ｌ，１１Ｒの内側に、プラスの接続端子部１８とマイナスの接続端子部１９が配置されている。バッテリ取り付け部３ａにバッテリパック１０を取り付けると、両接続端子部１８，１９を介して当該バッテリパック１０が工具本体部２側の電源回路に電気的に接続される。
【０００６】
バッテリパック１０の前面部１０Ｆには、使用者が指先で押し下げ操作する取り外し操作部としてのロックボタン１２が設けられている。このロックボタン１２は、前面部１０Ｆの上部であって左右方向中央に配置されている。このロックボタン１２を押し下げ操作すると、上面部１０Ｕに設けた爪部１３が下方へ変位する。このロックボタン１２は上側へばね付勢されている。このため、指先による押し下げ操作を解除すると、このロックボタン１２はばね付勢力により上側へ戻される。ロックボタン１２が上側へ付勢されているため、爪部１３も上側の係合位置に付勢されている。この爪部１３は、バッテリパック１０をハンドル部３のバッテリ取り付け部３ａに取り付けると、バッテリ取り付け部３ａに設けた爪係合部に係合する。爪部１３がバッテリ取り付け部３ａの爪係合部に係合すると、バッテリパック１０の前後の移動が規制されて取り付けた状態にロックされる。
ロックボタン１２を例えば親指あるいは人差し指で押し下げ操作すると、爪部が一体で下側に移動して爪係合部から外れるため、バッテリパック１０を取り外し方向（前側）に移動可能となり、従ってバッテリパック１０をバッテリ取り付け部３ａから取り外すことができる。
【０００７】
本実施形態のバッテリパック１０は、その取り外しの便宜を図るための指引き掛け部１４，１５，１６を備えている。図３に示すように指引き掛け部１４，１５は、左側面部１０Ｌと右側面部１０Ｒに左右対をなして設けられている。この左右の指引き掛け部１４，１５は、左右側面部１０Ｌ，１０Ｒの前寄りであって前面部１０Ｆとの間の角部に沿って側方へ張り出す状態に設けられている。この左右の指引き掛け部１４，１５は、当該バッテリパック１０の取り外し方向（前方向）に対して直交（交差）する方向であって上下に沿って長い突条に形成されている。両指引き掛け部１４，１５は、左右側面部１０Ｌ，１０Ｒの上下幅ほぼ全幅にわたって断面ほぼ三角形の山形で長く形成されている。
図５に示すようにこの左右の指引き掛け部１４，１５は、ロックボタン１２を人差し指で押し下げ操作する際に利用することができる。この場合、使用者は例えば右手の人差し指をロックボタン１２に押し当て、同じ手の親指を左側面部１０Ｌの指引き掛け部１４に引き掛け、中指若しくは薬指を右側面部１０Ｒの指引き掛け部１５に引き掛けて、当該バッテリパック１０を左右両側から挟んで把持することができる。こうして左右の指引き掛け部１４，１５に指を引き掛けて人差し指でロックボタン１２を押し下げ操作して爪部１３を外し、そのまま前側へスライドさせることによって当該バッテリパック１０をバッテリ取り付け部３ａから取り外すことができる。
以上は、右手でバッテリパック１０を把持する場合であり、左手で把持する場合には、人差し指をロックボタン１２に押し当て、親指を右側面部１０Ｒの指引き掛け部１５に引き掛け、中指若しくは薬指を左側面部１０Ｌの指引き掛け部１４に引き掛けて当該バッテリパック１０を左右両側から挟んで把持することができる。
図４に示すように指引き掛け部１６は、底面部１０Ｂに設けられている。この指引き掛け部１６は、底面部１０Ｂの前寄りに設けられている。この指引き掛け部１６は、当該バッテリパック１０の取り外し方向（前方向）に対して直交（交差）する方向であって左右方向に長い突条に形成されている。
図６に示すようにこの指引き掛け部１６は、ロックボタン１２を親指で押し下げ操作する際に利用することができる。この場合は、親指をロックボタン１２に押し当て、同じ手のその他の指先を引き掛けて、当該バッテリパック１０を上下に挟んで把持することができる。図６では右手で把持する場合を示しているが、左手でも同様に把持することができる。
こうして底面部１０Ｂの指引き掛け部１６に指先を引き掛けて親指でロックボタン１２を押し下げ操作して爪部１３を外し、そのまま前側へスライドさせることによっても当該バッテリパック１０をバッテリ取り付け部３ａから取り外すことができる。
バッテリパック１０の底面部１０Ｂには上記指引き掛け部１６に加えて傾き補正用の突起部１７が設けられている。この突起部１７は、指引き掛け部１６と同じ突き出し寸法で左右方向に長く設けられている。この突起部１７によって、当該バッテリパック１０を例えば作業台上に水平に設置することができる。
【０００８】
以上のように構成したバッテリパック１０によれば、その左右側面部１０Ｌ，１０Ｒに指引き掛け部１４，１５が設けられ、底面部１０Ｂに指引き掛け部１６が設けられ、それぞれ指先を引き掛けて取り外し時の滑り止めとして機能させることができる。このことから、手持ち式電動工具１のバッテリパック１０として従来にない大容量（３６Ｖ）である結果大型かつ重いバッテリパック１０をバッテリ取り付け部３ａに対して楽に取り付け、取り外しすることができ、これにより当該バッテリパック１０の取り扱い性を高めることができる。
また、バッテリパック１０の底面部１０Ｂの指引き掛け部１６に対応して突起部１７が設けられているため、当該バッテリパック１０を単独で（工具本体部２から取り外した状態）で例えば作業台上に水平に設置しておくことができる。さらに、この突起部１７によれば、当該バッテリパック１０を工具本体部２（ハンドル部３のバッテリ取り付け部３ａ）に取り付けて、当該バッテリパック１０を例えば作業台上に設置させて電動工具１を自立させる場合に、バッテリパック１０そのものを水平に設定できるため、当該電動工具１を安定した状態に置いておくことができる。
以上説明した実施形態には種々変更を加えることができる。例えば、３箇所の指引き掛け部１４，１５，１６のうち、左右の指引き掛け部１４，１５は省略して、底面部１０Ｂの指引き掛け部１６のみとしてもよい。逆に、底面部１０Ｂの指引き掛け部１６を省略して左右の指引き掛け部１４，１５のみとしてもよい。
また、左右の指引き掛け部１４，１５を左右側面部１０Ｌ、１０Ｒの前端部寄り（前側角部部付近）に配置した構成を例示したが、これらを前後方向中程の位置に配置する構成としてもよい。さらに、左右側面部１０Ｌ，１０Ｒあるいは底面部１０Ｂに、それぞれ複数の指引き掛け部を並列配置してもよい。
さらに、上下に延びる突条の指引き掛け部１４，１５及び左右に延びる突条の指引き掛け部１６を例示したが、指先を引き掛ける凹部を左右側面部の上下に沿って複数箇所設け、あるいは底面部の左右に沿って複数箇所設ける構成としてもよい。
【図面の簡単な説明】
【０００９】
【図１】本発明の実施形態に係るバッテリパックを取り付けた電動工具の全体側面図である。本図では、電動工具としてハンマドリルが例示されている。
【図２】本実施形態に係るバッテリパックの斜視図である。
【図３】図２中矢印(III)方向から見たバッテリパックの平面図である。
【図４】図２中矢印(IV)方向から見たバッテリパックの斜視図である。本図は、バッテリパックを右側かつ前側斜め下方から見た状態を示している。
【図５】バッテリパックの斜視図である。本図は、人差し指でロックボタンを押し下げ操作する状態を示している。
【図６】バッテリパックの斜視図である。本図は、親指でロックボタンを押し下げ操作する状態を示している。
【符号の説明】
【００１０】
１…電動工具（ハンマドリル）
２…工具本体部
３…ハンドル部、３ａ…バッテリ取り付け部
４…スピンドル
５…スイッチレバー
６…サブハンドル
１０…バッテリパック
１０Ｕ…上面部、１０Ｂ…底面部
１０Ｌ…左側面部、１０Ｒ…右側面部、１０Ｆ…前面部
１１Ｌ，１１Ｒ…ガイドレール部
１２…ロックボタン
１３…爪部
１４…指引き掛け部（左側面部）
１５…指引き掛け部（右側面部）
１６…指引き掛け部（底面部）
１７…傾き補正用の突起部
１８…プラス接続端子部
１９…マイナス接続端子部
【図１】
2010129188.tif 000003
【図２】
2010129188.tif 000004
【図３】
2010129188.tif 000005
【図４】
2010129188.tif 000006
【図５】
2010129188.tif 000007
【図６】
2010129188.tif 000008